(57)【要約】【課題】新規なトイレ用仮設台の提案【解決手段】  ここで提案されるトイレ用仮設台１００は、トイレ１０の左右の肘掛け１４，１５に載せられる台１０１と、台の裏面の左右両側部に設けられた肘掛収容部１４１，１４２と、台の裏面において肘掛収容部の外方に配置された肘掛保持部１１１，１１２とを備えている。肘掛収容部は、肘掛けが収められる部位の前方と左右方向の内方とに肘掛けの動きを規制する規制部（１４１ａ，１４１ｂ，１４２ａ，１４２ｂ）を備えている。肘掛保持部は、肘掛収容部に収められた肘掛けの支柱部１４ａ，１５ａの後方に配置された保持部材１１１ｂ，１１２ｂを備えている。【選択図】図５
2017042239.tif 000002
【特許請求の範囲】
【請求項１】
平面視において便座の左右において前後方向に延びた肘掛けと、
前記肘掛けの下面に下方に延びた支柱部と
を備えたトイレに取り付けられるトイレ用仮設台であって、
左右の前記肘掛けに載せられる台と、
前記台の裏面の左右両側部に設けられた肘掛収容部と、
前記台の裏面において前記肘掛収容部の外方に配置された肘掛保持部と
を備え、
前記肘掛収容部は、
前記肘掛けが収められる部位の前方と左右方向の内方とに肘掛けの動きを規制する規制部を備え、
前記肘掛保持部は、
前記肘掛収容部に収められた前記肘掛けの前記支柱部の後方に配置された保持部材を備えた、
トイレ用仮設台。
【請求項２】
前記肘掛収容部に収められた前記肘掛けの前記支柱部の後方から離れた位置に、前記保持部材を移動させる移動機構を備え、
前記移動機構は、
前記支柱部の後方から離れた状態で前記保持部材を保持する保持部を備えた、請求項１に記載されたトイレ用仮設台。
【請求項３】
前記移動機構は、前記保持部による保持を解除した際に、前記保持部材を前記肘掛けの前記支柱部の後方に押し出すように力を作用させるバネが配置された、請求項２に記載されたトイレ用仮設台。
【請求項４】
前記台の裏面は、前記肘掛収容部が設けられた部位を基準にして左右方向の内側に、下方に盛り上がったもも当て部を備えている、請求項１から３までの何れか一項に記載されたトイレ用仮設台。
【請求項５】
前記台の裏面から下方に延びた脚を備え、当該脚を床に接地させて取り付け可能な、請求項１から４までの何れか一項に記載されたトイレ用仮設台。
【発明の詳細な説明】
【技術分野】
【０００１】
本発明はトイレ用仮設台に関する。
【背景技術】
【０００２】
例えば、特開２００３−２７５６２号公報には、ポータブルトイレの両側の肘掛に着脱自在に掛け渡される台が提案されている。ここで提案される台は、片側の側面および他方の側部の下面にそれぞれ溝が設けられている。この台は、片側の側面および他方の側部の下面にそれぞれ設けられた溝に、肘掛を嵌めることによって、ポータブルトイレに取り付けられる。特開２００６−４３３７４号公報には、ポータブルトイレの両側の肘掛に対して、台の両側にガイド片が設けられており、当該ガイド片に取り付けられたねじによって、ポータブルトイレの肘掛に引っ掛けられている。
【先行技術文献】
【特許文献】
【０００３】
【特許文献１】特開２００３−２７５６２号公報
【特許文献２】特開２００６−４３３７４号公報
【発明の概要】
【発明が解決しようとする課題】
【０００４】
ところで、ポータブルトイレは、主としてベッド横に置かれ、使用者がベッドから既設のトイレに独力で移動することが困難であるような場合に使用される。ポータブルトイレを使用する使用者の筋力が衰えている場合には、使用者は介助者による介助を受けてポータブルトイレへ移乗する。このように筋力が低下した使用者は、ポータブルトイレを使用する際に適切な姿勢を維持することができない場合がある。例えば、ポータブルトイレを使用する場合には、肩幅程度に足を開いた状態で座る。この際、使用者の上体が背中側に反れる場合よりも、少し前傾にした方が排便しやすいとされる。使用者の前方に台が設けられていると、使用者はこの台を頼って上体を前傾に保ちやすい。
【０００５】
本願発明者は、ポータブルトイレの両側の肘掛に架け渡して、使用者の前方に台を設ける構造を検討している。このような台の取り付けや取り外しは、介助者が使用者を介助しつつ行う場合がある。筋力が低下した使用者の介助では、介助者は、片手で使用者を支えつつ、台の取り付けや取り外しを行いたい場合がある。このため、台は、より簡単に取り付けられたり、取り外されたりできると便利である。かかる観点において、本願発明者は、使用者および介助者が便利に使用できる新規なトイレ用仮設台を提案したいと考えている。
【課題を解決するための手段】
【０００６】
ここで提案されるトイレ用仮設台は、トイレの左右の肘掛けに載せられる台と、台の裏面の左右両側部に設けられた肘掛収容部と、台の裏面において肘掛収容部の外方に配置された肘掛保持部とを備えている。肘掛収容部は、肘掛けが収められる部位の前方と左右方向の内方とに肘掛けの動きを規制する規制部を備えている。肘掛保持部は、肘掛収容部に収められた肘掛けの支柱部の後方に配置された保持部材を備えている。このトイレ用仮設台は、平面視において便座の左右において前後方向に延びた肘掛けと、肘掛けの下面に下方に延びた支柱部とを備えたトイレに取り付けられる。このトイレ用仮設台は、トイレの肘掛けの上に置かれて、肘掛けに取り付けられるので、使用者および介助者にとって便利に使用されうる。
【０００７】
また、肘掛収容部に収められた肘掛けの支柱部の後方から離れた位置に、保持部材を移動させる移動機構を備えていてもよい。移動機構は、支柱部の後方から離れた状態で保持部材を保持する保持部を備えていてもよい。かかる移動機構によって、保持部材を肘掛収容部に収められた肘掛けの支柱部の後方から離れた位置に移動させることができ、使用者および介助者にとって操作性がよくなり、より便利に使用されうる。
【０００８】
また、移動機構は、保持部による保持を解除した際に、保持部材を肘掛けの支柱部の後方に押し出すように力を作用させるバネが配置されていてもよい。この場合、バネの作用によって、保持部材が肘掛けの支柱部の後方に押し出されるので、操作性がさらに向上する。
【０００９】
台の裏面は、肘掛収容部が設けられた部位を基準にして左右方向の内側に、下方に盛り上がったもも当て部を備えていてもよい。この場合、筋力が低下した使用者が使用する場合でも便座に座った状態で、前にずれるのが防止されうる。
【００１０】
また、台の裏面から下方に延びた脚を備え、当該脚を床に接地させて取り付けられてもよい。これにより、トイレ用仮設台は、より安定して接地され、安全性が向上する。
【図面の簡単な説明】
【００１１】
【図１】図１は、トイレ用仮設台１００が取り付けられたポータブルトイレ１０の側面図である。
【図２】図２は、トイレ用仮設台１００の斜視図である。
【図３】図３は、トイレ用仮設台１００の正面図である。
【図４】図４は、トイレ用仮設台１００の側面図である。
【図５】図５は、トイレ用仮設台１００の底面図である。
【図６】図６は、トイレ用仮設台１００の背面図である。
【図７】図７は、脚１０２を畳んだ状態を示すトイレ用仮設台１００の側面図である。
【図８】図８は、左側の肘掛保持部１１１のカバー１２７が取り外されて肘掛保持部１１１の内部構造を示す底面図である。
【図９】図９は、左側の肘掛保持部１１１のピン１１１ｂを示す正面図である。
【図１０】図１０は、ロック部材１２３を示す斜視図である。
【図１１】図１１は、取付片１２３ｂ側のバネ止め１２４の端面を示す図である。
【図１２】図１２は、図１１のＸＩＩ−ＸＩＩ断面を示す断面図である。
【図１３】図１３は、肘掛保持部１１１の内部構造を示す底面図である。
【図１４】図１４は、トイレ用仮設台１００が取り付けられたポータブルトイレ１０の正面図である。
【図１５】図１５は、肘掛保持部１１１，１１２の変形例を示す底面図である。
【図１６】図１６は、移動機構１１１ｃ，１１２ｃを示す側面図である。
【発明を実施するための形態】
【００１２】
以下、ここで提案されるトイレ用仮設台を図面に基づいて説明する。各図において同じ作用を奏する部材や部位には、同じ符号を付し、適宜に重複する説明を省略している。ここでは、説明の便宜上、トイレ用仮設台に対して適宜に、前後左右の方向を設定する。図面上、前をＦ、後をＢ、左をＬ、右をＲ、上をＵ、下をＤと表す。
【００１３】
ここでは、トイレ用仮設台が、ポータブルトイレに取り付けられた状態において、ポータブルトイレに座る使用者に沿って向きが定められている。ポータブルトイレに座る使用者の前方を前、後方を後とし、左右および上下が定められている。ポータブルトイレに取り付けられるトイレ用仮設台についても、ポータブルトイレに取り付けられた状態で、上記ポータブルトイレの前後、左右、上下の方向に準じて前後左右上下の方向が定められている。
【００１４】
図１は、トイレ用仮設台１００が取り付けられたポータブルトイレ１０の側面図である。図２から図７は、トイレ用仮設台１００を示す図である。ここで、図２は、トイレ用仮設台１００の斜視図である。図３は、トイレ用仮設台１００の正面図である。図４は、トイレ用仮設台１００の側面図である。図５は、トイレ用仮設台１００の底面図である。図６は、トイレ用仮設台１００の背面図である。図７は、脚１０２を畳んだ状態を示すトイレ用仮設台１００の側面図である。
【００１５】
〈トイレ用仮設台１００〉
トイレ用仮設台１００は、図１および図２に示すように、台１０１と、脚１０２とを備えている。台１０１には、肘掛保持部１１１，１１２が設けられている。肘掛保持部１１１，１１２は、図３から図６に示すように、台１０１の裏面の左右両側部に設けられている。
【００１６】
〈肘掛保持部１１１，１１２〉
この実施形態では、肘掛保持部１１１，１１２は、台１０１とは別部材であり、基部１１１ａ，１１２ａと、保持部材としてのピン１１１ｂ，１１２ｂと、移動機構１１１ｃ，１１２ｃ（図５および図８参照）とを備えている。この実施形態では、台１０１は、全体としてトイレ１０の前方に配置され、肘掛け１４，１５（図１および図１４参照）の上に載せられるのに十分な幅を有している。台１０１の後部には、便座１２に座る使用者の胴部に沿うように前方に窪んだ窪み１０１ａが設けられている。台１０１の上面において、台１０１の前部の縁１０１ｂは上方に沿っている。当該縁１０１ｂは、台１０１の上に使用者が腕を置いた場合に、腕が台１０１の前方に落ちないように引っ掛かる部位になる。
【００１７】
〈基部１１１ａ，１１２ａ〉
基部１１１ａ，１１２ａは、台１０１の裏面の左右両側部に設けられ、保持部材としてのピン１１１ｂ，１１２ｂを支持する部材である。この実施形態では、基部１１１ａ，１１２ａは、ポータブルトイレ１０の左右の肘掛け１４，１５の外側に配置されるように、予め定められた間隔で台１０１の裏側に設けられている。基部１１１ａ，１１２ａには、移動機構１１１ｃ，１１２ｃが設けられている。移動機構１１１ｃ，１１２ｃによって、ピン１１１ｂ，１１２ｂの位置は、肘掛収容部１４１，１４２に収められた肘掛け１４，１５の支柱１４ａ，１５ａの後方と、当該支柱１４ａ，１５ａの後方から離れた位置に移動する。つまり、ピン１１１ｂ，１１２ｂは、肘掛け１４，１５が配置される側（台１０１の内側）に基部１１１ａ，１１２ａから大きく突出した位置と、当該位置から基部１１１ａ，１１２ａ内に引っ込んだ位置とで変更される。
【００１８】
また、この実施形態では、移動機構１１１ｃ，１１２ｃは、支柱１４ａ，１５ａの後方から離れた位置でピン１１１ｂ，１１２ｂを保持する保持部１１１ｃ１（図１３参照）を備えている。当該保持部１１１ｃによって、ピン１１１ｂ，１１２ｂは、支柱１４ａ，１５ａの後方から離れた位置に保持されうる。また、この実施形態では、移動機構１１１ｃ，１１２ｃは、保持部１１１ｃ１による保持を解除した際に、保持部材としてのピン１１１ｂ，１１２ｂを、肘掛け１４，１５の支柱１４ａ，１５ａの後方に押し出すように力を作用させるバネ１２５が配置されている。このバネ１２５の作用によって、ピン１１１ｂ，１１２ｂは、保持部１１１ｃ１による保持が解除された際に、支柱１４ａ，１５ａの後方から離れた位置から支柱１４ａ，１５ａの後方に押し出される。これによって、使用者が保持部１１１ｃ１による保持を解除すると、ピン１１１ｂ，１１２ｂの状態が変更されるので、保持部材としてのピン１１１ｂ，１１２ｂの操作性がよい。
【００１９】
以下、この実施形態における肘掛保持部１１１，１１２の構造をより具体的に説明する。図８は、左側の肘掛保持部１１１のカバー１２７が取り外されて肘掛保持部１１１の内部構造を示す底面図である。図９は、左側の肘掛保持部１１１のピン１１１ｂを示す正面図である。ここでは、左側の肘掛保持部１１１を説明するが、右側の肘掛保持部１１２は、左側の肘掛保持部１１１と同様の構造である。左右の肘掛保持部１１１，１１２において、同じ部材および部位には、それぞれ同じ符号を付している。
【００２０】
〈ピン１１１ｂ，１１２ｂ〉
この実施形態では、保持部材としてのピン１１１ｂ，１１２ｂは、肘掛収容部１４１，１４２に収められるポータブルトイレ１０の肘掛け１４，１５の後方に配置される部材である。肘掛保持部１１１，１１２は、図８および図９に示すように、ピン１１１ｂ，１１２ｂを構成する部材として、ピン本体１２１と、操作部材１２２とを備えている。また、肘掛保持部１１１，１１２は、基部１１１ａ，１１２ａを構成する部材として、ロック部材１２３と、バネ止め１２４と、バネ１２５と、カバー１２７とを備えている。
【００２１】
〈ピン本体１２１、操作部材１２２〉
図９に示すように、ピン本体１２１は、断面円形の軸である。ピン本体１２１の一端には、操作部材１２２が取り付けられている。操作部材１２２は、軸部１２２ａと、頭部１２２ｂとを備えている。軸部１２２ａは、頭部１２２ｂから一方向に延びている。軸部１２２ａの先端には、ピン本体１２１が装着されている。ピン本体１２１は、軸部１２２ａの軸方向に沿って延びている。また、軸部１２２ａの先端には、外径方向に突出した突起１２２ｃが設けられている。軸部１２２ａの軸方向の中間部の断面は、異形形状である。この実施形態では、操作部材１２２の軸部１２２ａの外周面には、軸方向の中間部から軸部１２２ａの基端にかけて外径側に突出した突条１２２ｄを有している。突条１２２ｄは、周方向に均等に複数（具体的には２本）設けられている。軸部１２２ａの基端１２２ｅは太くなっており、頭部１２２ｂが設けられている。頭部１２２ｂは、ピン１１１ｂ，１１２ｂを操作する部位である。この実施形態では、頭部１２２ｂは、平べったい略円板状の摘まみで構成されている。
【００２２】
〈ロック部材１２３〉
図１０は、ロック部材１２３を示す斜視図である。ロック部材１２３は、図１０に示すように、取付部１２３ａと、取付片１２３ｂ，１２３ｃとを備えている。取付部１２３ａは、台１０１に取り付けられる部位であり、ねじ孔１２３ａ１が形成されている。この実施形態では、取付部１２３ａは、台１０１の左右両側部において、台１０１の下面に取り付けられる。一方の取付片１２３ｂは、取付部１２３ａの台１０１の内側の端部から下方に延びている。取付片１２３ｂには、ピン本体１２１が挿通する挿通孔１２３ｄが形成されている。挿通孔１２３ｄはピン本体１２１の外径とほぼ同じか少し大きい円形の孔で形成されている。他方の取付片１２３ｃは、台１０１の外側の端部から下方に延びている。取付片１２３ｃには、操作部材１２２の軸部１２２ａが挿通する挿通孔１２３ｅが形成されている。操作部材１２２の軸部１２２ａの断面は、異形形状であり、挿通孔１２３ｅは、かかる操作部材１２２の軸部１２２ａの断面に応じた形状を有している。この実施形態では、挿通孔１２３ｅには、操作部材１２２の軸部１２２ａの外周面に設けられた突起１２２ｃに応じた窪み１２３ｆが形成されている。窪み１２３ｆは、挿通孔１２３ｅの前と後の縁に形成されており、外径方向に窪んでいる。ロック部材１２３の周縁部には、カバー１２７に設けられる爪１２７ａ（図４参照）が引っ掛かる窪み１２３ｇを有している。この実施形態では、取付片１２３ｂと取付片１２３ｃとにそれぞれ窪み１２３ｇが設けられている。
【００２３】
〈バネ止め１２４、バネ１２５〉
バネ止め１２４は、筒状の部材である。図１１は、取付片１２３ｂ側のバネ止め１２４の端面を示しており、図１２は、バネ止め１２４の断面図であり、図１１のＸＩＩ−ＸＩＩ断面を示している。バネ止め１２４の孔１２４ａは、ピン本体１２１は挿通可能であるが操作部材１２２の軸部１２２ａに設けられた突条１２２ｄが引っ掛かって挿通されない程度の内径を有している。孔１２４ａには、操作部材１２２の軸部１２２ａの先端に設けられた突起１２２ｃが挿通する溝１２４ａ１が形成されている。突起１２２ｃを、当該溝１２４ａ１に合わせることによって、操作部材１２２の軸部１２２ａを、バネ止め１２４の孔１２４ａに挿通することができる。バネ止め１２４の取付片１２３ｂ側の端部には、フランジ１２４ｂが設けられている。フランジ１２４ｂの片面は、バネ座１２４ｂ１となる。また、バネ止め１２４の取付片１２３ｂ側の端面には、バネ止め１２４の孔１２４ａが開口しており、孔１２４ａの溝１２４ａ１に直交する向きに窪み１２４ａ２が形成されている。バネ１２５は、バネ止め１２４の外径よりも少し大きい内径を有するコイルばねである。
【００２４】
〈肘掛保持部１１１，１１２の組み立て〉
肘掛保持部１１１，１１２のロック部材１２３は、図５に示すように、台１０１の左右両側部の裏面に取り付けられる。ロック部材１２３は、図８に示すように、取付片１２３ｂを台１０１の内側に向け、取付片１２３ｃを台１０１の外側に向けた状態で、取付部１２３ａを台１０１の裏面に押し当てる。そして、取付部１２３ａのねじ孔１２３ａ１（図１０参照）にねじ１２６を装着し、台１０１の裏面に設けられたねじ穴（図示省略）にねじ込む。このことによって、ロック部材１２３は台１０１に固定される。
【００２５】
ピン１１１ｂのピン本体１２１は、ロック部材１２３の外側の取付片１２３ｃに設けられた挿通孔１２３ｅに挿通される。挿通孔１２３ｅに挿通されたピン本体１２１には、バネ１２５とバネ止め１２４が順に装着される。その後、バネ１２５とバネ止め１２４が装着されたピン本体１２１は、ロック部材１２３の内側の取付片１２３ｂの挿通孔１２３ｄに挿通される。この状態で、バネ止め１２４の孔１２４ａにピン１１１ｂの軸部１２２ａを通し、軸部１２２ａの先端の突起１２２ｃを、バネ止め１２４の端面の窪み１２４ａ２を嵌める。このように、ロック部材１２３にピン１１１ｂ、バネ止め１２４およびバネ１２５を装着した後で、図５に示すように、カバー１２７が取り付けられる。カバー１２７は、ロック部材１２３の外縁に沿って、ロック部材１２３の下側を覆うように装着される部材である。カバー１２７には、ロック部材１２３に噛み合う取付部が設けられている。
【００２６】
図８は、軸部１２２ａの基端１２２ｅが外側の取付片１２３ｃに当たるまで、操作部材１２２をロック部材１２３に挿入した状態が示されている。この状態で、ピン本体１２１は、ロック部材１２３の取付片１２３ｂから内側に大きく突出している。図８の状態から、操作部材１２２の頭部１２２ｂを台１０１の外方に引っ張ると、挿通孔１２３ｅに沿って操作部材１２２の軸部１２２ａが引き出され、ピン本体１２１はロック部材１２３の内側に引っ込む。ここで、図１３は、肘掛保持部１１１の内部構造を示す底面図である。図１３では、突条１２２ｄの先端１２２ｄ１が挿通孔１２３ｅから引き出された状態が示されている。また、図１３では、操作部材１２２の頭部１２２ｂは、９０度回されており、突条１２２ｄが上下に向けられている。
【００２７】
なお、この実施形態では、ピン本体１２１は、完全にロック部材１２３の内側に入り込まないが、ロック部材１２３からの突出量は小さくなる。図１３に示すように、突条１２２ｄの先端１２２ｄ１が挿通孔１２３ｅから引き抜かれた状態で、頭部１２２ｂを回すと、突条１２２ｄの先端１２２ｄ１がロック部材１２３の外側の取付片１２３ｃに当たる。ロック部材１２３の内部では、バネ座１２４ｂ１と取付片１２３ｃとの距離に応じてバネ１２５が圧縮される。バネ１２５の弾性反力によって、操作部材１２２がロック部材１２３の内側に向けて引っ張られる。この結果、突条１２２ｄの先端１２２ｄ１がロック部材１２３の外側の取付片１２３ｃに押し当たる。操作部材１２２は、この状態で保持され、ピン本体１２１はロック部材１２３内に引っ込んだ状態で維持される。
【００２８】
このように、移動機構１１１ｃは、ピン１１１ｂ，１１２ｂを支柱１４ａ，１５ａの後方から離れた位置で保持する保持部１１１ｃ１を備えている。この実施形態では、突条１２２ｄの先端１２２ｄ１とロック部材１２３の外側の取付片１２３ｃとが当たる部位が、移動機構１１１ｃ，１１２ｃの保持部１１１ｃ１として機能する。また、この実施形態では、図１３の状態から、操作部材１２２の頭部１２２ｂを回し、突条１２２ｄを挿通孔１２３ｅの窪み１２３ｆ（図１０参照）に合わせると操作部材１２２の軸部１２２ａが挿通孔１２３ｅに合致する。そして、頭部１２２ｂから手を離すと、図８に示すように、バネ１２５の弾性反力によって操作部材１２２の軸部１２２ａはロック部材１２３の内部に入り、ピン本体１２１はロック部材１２３から突出する。このバネ１２５の作用によって、ピン１１１ｂ，１１２ｂは、保持部１１１ｃ１による保持が解除された際に、支柱１４ａ，１５ａの後方から離れた位置から支柱１４ａ，１５ａの後方に押し出される。これによって、使用者が保持部１１１ｃ１による保持を解除すると、ピン１１１ｂ，１１２ｂの状態が変更される。
【００２９】
左右の肘掛保持部１１１，１１２は、同じ構造である。ピン本体１２１がロック部材１２３から突出した状態（図８参照）と、ピン本体１２１がロック部材１２３に引っ込んだ状態（図１３参照）とは、操作部材１２２の頭部１２２ｂを引っ張り、あるいは、回すことによって操作できる。このため、使用者は、肘掛保持部１１１，１１２を片手で操作することが可能であり、ピン１１１ｂ，１１２ｂの操作性がよい。
【００３０】
図５には、台１０１の裏面が示されている。図５に示すように、台１０１の裏面には、左右両側部に、ポータブルトイレ１０の肘掛け１４，１５が収まる肘掛収容部１４１，１４２が設けられている。肘掛収容部１４１，１４２は、肘掛け１４，１５の動きを規制する規制部を備えている。この実施形態では、肘掛収容部１４１，１４２に肘掛け１４，１５が収められる部位の前および内方において、下方に立ち上がった壁１４１ａ，１４１ｂ，１４２ａ，１４２ｂが規制部として設けられている。壁１４１ａ，１４１ｂ，１４２ａ，１４２ｂは、肘掛収容部１４１，１４２に装着される肘掛け１４，１５の位置を定める。図１４は、トイレ用仮設台１００が取り付けられたポータブルトイレ１０の正面図である。また、このトイレ用仮設台１００が取り付けられるポータブルトイレ１０の肘掛け１４，１５には、図１および図４に示すように、下方に突出した支柱１４ａ,１５ａが設けられているとよい。もしポータブルトイレ１０の既設の肘掛け１４，１５に適当な位置に支柱が無ければ、肘掛け１４，１５から下方に突出するように軸材やブロック材を肘掛け１４，１５に取り付けるとよい。ここでは、肘掛け１４，１５の下方に突出した部位を支柱部と称する。かかる支柱部には、ポータブルトイレ１０の既設の支柱、肘掛け１４，１５から下方に延びた突起（例えば、後付けされる軸材）などが含まれうる。
【００３１】
上述した肘掛保持部１１１，１１２は、図５に示すように、台１０１の裏面において、左右の肘掛収容部１４１，１４２の外方に配置されている。この実施形態では、肘掛保持部１１１，１１２は、肘掛収容部１４１，１４２に配置される肘掛け１４，１５の支柱部１４ａ，１５ａの後方にピン本体１２１が突出するように配置されている。そして、肘掛保持部１１１，１１２に配置される肘掛け１４，１５に対してピン本体１２１が突出し、台１０１の裏面との間で肘掛け１４，１５を挟み込む。また、左右の肘掛収容部１４１，１４２に収められた肘掛け１４，１５の前および内方は、肘掛収容部１４１，１４２の壁１４１ａ，１４１ｂ，１４２ａ，１４２ｂがある。また、この実施形態では、肘掛け１４，１５の外方には、肘掛収容部１４１，１４２の内側面（この実施形態では、ロック部材１２３の内側の取付片１２３ｂ）がある。さらに、肘掛け１４，１５の支柱１４ａ，１５ａ（広義には支柱部）の後方には、肘掛保持部１１１，１１２のピン１１１ｂ，１１２ｂが突出している。これによって、肘掛け１４，１５は、肘掛収容部１４１，１４２に収められた状態で、肘掛保持部１１１，１１２に保持され、台１０１は、肘掛け１４，１５の上に置かれた状態で保持される。
【００３２】
〈トイレ用仮設台１００の取り付け〉
ここで、トイレ用仮設台１００が取り付けられるポータブルトイレ１０は、図１および図１４に示すように、便座１２と、便座１２の左右に設けられた肘掛け１４、１５とを備えている。このトイレ用仮設台１００の台１０１は、ポータブルトイレ１０の両側の肘掛け１４，１５に載せられる。そして、肘掛け１４，１５の支柱１４ａ，１５ａに肘掛保持部１１１，１１２のピン１１１ｂ，１１２ｂが引っ掛かるように、ポータブルトイレ１０の両側の肘掛け１４，１５に載せられた状態で、ピン本体１２１を突出させるとよい。これにより、肘掛保持部１１１，１１２によって台１０１は肘掛け１４，１５に載せられた状態で保持される。なお、トイレ用仮設台１００が取り付けられるトイレは、ポータブルトイレ１０（いわゆる仮設トイレ）に限定されない。トイレ用仮設台１００は、例えば、仮設でない常設のトイレに対しても、便座１２の両側に肘掛け１４、１５が設けられている場合に取り付けることができる。
【００３３】
〈使用者Ａの太ももＡ１，Ａ２が当たる部位１４３，１４４（もも当て部）〉
台１０１の裏面は、肘掛収容部１４１，１４２が設けられた部位を基準にして左右方向の内側に、下方に盛り上がったもも当て部１４３，１４４を備えている。この実施形態では、左右方向において肘掛け１４，１５に載置される部位（肘掛収容部１４１，１４２）よりも内側で、かつ、中央部の外側において台１０１の裏面が、肘掛け１４，１５に載置される部位よりも盛り上がっている。より具体的には、もも当て部１４３，１４４は、肘掛け１４，１５が収められる肘掛収容部１４１，１４２よりも左右方向の内側で、肘掛収容部１４１，１４２よりも少し前方に設けられる。このもも当て部１４３，１４４は、便座１２に座る使用者Ａの太ももＡ１，Ａ２が当たる部位であり、もも当て部と称される。このもも当て部１４３，１４４が使用者Ａの太ももＡ１，Ａ２が当たることによって、使用者Ａの太ももＡ１，Ａ２がポータブルトイレ１０に座った状態で前にずれにくくなる。このため、使用者Ａの筋力が低下している場合でも、使用者Ａが便座１２に座った姿勢を維持し易くなる。なお、図５に示す形態では、台１０１の裏面において使用者Ａの太ももＡ１，Ａ２が当たる部位１４３，１４４が下方に盛り上がっているが、当該もも当て部１４３，１４４には、台１０１の裏面に台１０１とは別体の部材が取り付けられていてもよい。例えば、当該部位１４３，１４４には、ブロック状の部材が台１０１の裏面に取り付けられていてもよい。また、当該もも当て部１４３，１４４には、クッション性を有する部材が取り付けられていてもよい。これにより、もも当て部１４３，１４４にクッション性を有する部材を採用することによって、使用者Ａの太ももＡ１，Ａ２への圧迫を緩和できる。
【００３４】
〈脚１０２〉
上述のように、トイレ用仮設台１００の台１０１は、裏面の左右両側部に肘掛保持部１１１，１１２が設けられている。トイレ用仮設台１００の台１０１には、図１、図２および図１４に示すように、脚１０２が取り付けられている。脚１０２は、台１０１の裏面から下方に延び、床に接地させて取り付け可能な構造を有している。この実施形態では、台１０１の裏面には、中央前部に脚１０２が取り付けられており、中央部には脚１０２が折り畳まれる窪み１４６が設けられている。
【００３５】
トイレ用仮設台１００は、図１および図１４に示すように、便座１２と、便座１２の左右に設けられた肘掛け１４，１５とを備えたポータブルトイレ１０に対して取り付けられる。台１０１は、肘掛け１４，１５に載せられた状態で、肘掛保持部１１１，１１２によって肘掛け１４，１５に保持され、かつ、脚１０２は、台１０１から下方に延びて接地される。このように、脚１０２が台１０１から下方に延びて設置しているので、使用者が台１０１に体重を掛けても、台１０１が安定している。
【００３６】
この実施形態では、脚１０２は、台１０１の裏面において、左右方向における中央部に取り付けられている。脚１０２が、台１０１の左右方向における中央部に取り付けられているので、便座１２に座る使用者が脚１０２を跨ぐように使用でき、脚１０２が邪魔になりにくい。また、脚１０２は、伸縮機構を備えているとよい。この場合、台１０１が置かれる肘掛け１４，１５の高さに応じて脚１０２の長さを調整するとよい。これによって、脚１０２を床に確実に接地させることができる。さらに、この実施形態では、脚１０２の下端には、台１０１の左右方向に延びた接地部１０２ｃが設けられている。
【００３７】
脚１０２は、図７に示すように、台１０１の裏面から下方に延びた第１姿勢と、台１０１の裏面に沿って延びた第２姿勢との少なくとも２つの姿勢に姿勢変更可能であるとよい。例えば、脚１０２の一端が、台１０１の裏面に回動自在に取り付けられているとよい。この場合、脚１０２は、台１０１の裏面に対して回動させることによって、第１姿勢と、第２姿勢とに変更が容易に行える。
【００３８】
この実施形態では、図５に示すように、台１０１の裏面の中央部には、前後方向に沿って窪み１４６が設けられている。脚１０２は、図２から図５に示すように、ブラケット１０２ａと、軸材１０２ｂと、接地部１０２ｃとを備えている。ブラケット１０２ａは、台１０１の窪み１４６の前部に取り付けられている。
【００３９】
軸材１０２ｂの一端が、ブラケット１０２ａに対して回動自在に取り付けられている。軸材１０２ｂは、スリーブ１０２ｂ１と、接地軸１０２ｂ２とを備えている。スリーブ１０２ｂ１の一端は、ブラケット１０２ａに回動自在に取り付けられる。スリーブ１０２ｂ１には、軸方向に沿って複数の孔１０２ｂ３が形成されている。
【００４０】
接地軸１０２ｂ２は、スリーブ１０２ｂ１に挿通される軸部材である。接地軸１０２ｂ２には、径方向に弾性的に突出する突起１０２ｂ４が設けられている。接地軸１０２ｂ２は、かかる突起１０２ｂ４を押し込んだ状態で、スリーブ１０２ｂ１内に装着され、スリーブ１０２ｂ１に設けられた孔１０２ｂ３に嵌合させる。この際、スリーブ１０２ｂ１の軸方向に沿って形成された複数の孔１０２ｂ３のうち、接地軸１０２ｂ２の突起１０２ｂ４を嵌合させる孔を選択することによって、スリーブ１０２ｂ１に対して接地軸１０２ｂ２が延びる長さが調整される。これにより、脚１０２を伸縮させることができるが、脚１０２の伸縮機構はかかる構造に限定されない。
【００４１】
また、接地軸１０２ｂ２の先端には、床に接地する接地部１０２ｃが設けられている。接地部１０２ｃは、台１０１の左右方向に沿って延びている。接地部１０２ｃが台１０１の左右方向に沿って延びていることによって、脚１０２は、より安定して台１０１を支持できる。この場合、接地部１０２ｃは、より安定して台１０１を支持するとの観点において、例えば、台１０１の左右方向に沿って５ｃｍ以上、より好ましくは８ｃｍ以上延びていればよい。またあまりに長いと邪魔になる場合があり、この観点において、接地部１０２ｃは、台１０１の左右方向に沿って３０ｃｍ以下、より好ましくは２５ｃｍ以下であるとよい。
【００４２】
また、脚１０２は、ブラケット１０２ａに対して、軸材１０２ｂが回動自在に取り付けられている。軸材１０２ｂは、図７に示すように、ブラケット１０２ａに対して回動させることによって、台１０１の裏面の中央部の窪み１４６に収められる。この際、脚１０２を短くしておくことによって、トイレ用仮設台１００をコンパクトに折り畳める。
【００４３】
〈フック１０３〉
また、トイレ用仮設台１００は、ベッドの柵やポータブルトイレ１０などに引っ掛けられるようにフック１０３を備えていてもよい。この実施形態では、トイレ用仮設台１００は、ブラケット１０２ａにフック１０３が取り付けられている。フック１０３は、湾曲したフック部１０３ａと、フック部１０３ａの基端からブラケット１０２ａの両側面に沿って延びたガイド片１０３ｂとを備えている。ガイド片１０３ｂには、ガイド孔１０３ｂ１が形成されている。ブラケット１０２ａの両側面には、軸１０２ａ１が突出している。当該軸１０２ａ１にガイド片１０３ｂのガイド孔１０３ｂ１を装着することによって、ブラケット１０２ａにフック１０３が取り付けられている。この場合、例えば、トイレ用仮設台１００を所定の位置に引っ掛ける際に、図７に示すように、脚１０２を折り畳み、ガイド孔１０３ｂ１に沿ってフック１０３をブラケット１０２ａから引き出すとよい。また、トイレ用仮設台１００を使用する際には、図２から図５に示すように、フック１０３をブラケット１０２ａに押しつけて台１０１の下方に押し込むとよい。これにより、トイレ用仮設台１００を使用する際にフック１０３が邪魔にならない。
【００４４】
以上、ここで提案されるトイレ用仮設台１００について、種々説明した。
【００４５】
トイレ用仮設台１００が取り付けられるトイレ１０は、平面視において便座の左右において前後方向に延びた肘掛け１４，１５と、肘掛け１４，１５の下面に下方に延びた支柱部１４ａ，１５ａとを備えている。支柱部１４ａ，１５ａは、上述のように肘掛け１４，１５に既設の支柱を利用するとよい。また、肘掛け１４，１５に既設の支柱がない場合には、肘掛け１４，１５の下面に支柱に相当する部材を取り付けるとよい。肘掛け１４，１５に支柱部として取り付けられる部材は、必ずしも軸状の部材でなくてもよく、上述したようにトイレ用仮設台１００の肘掛保持部１１１，１１２の保持部材（上述した実施形態では、ピン１１１ｂ，１１２ｂ）を支持する部材であるとよい。また、トイレ１０として、ポータブルトイレ１０を例示したが、必ずしもポータブルトイレに限定されない。また、肘掛け１４，１５は、トイレ１０に別体で後付けされるものでもよい。
【００４６】
上述したように、トイレ用仮設台１００は、図５および図６に示すように、台１０１と、肘掛収容部１４１，１４２と、肘掛保持部１１１，１１２とを備えているとよい。
【００４７】
トイレ用仮設台１００の台１０１は、トレイ１０の左右の肘掛け１４，１５に載せられる。このため、台１０１は、取り付けられるトレイ１４の肘掛け１４，１５の幅に応じて左右方向において所要の幅を有しているとよい。肘掛収容部１４１，１４２は、台１０１の裏面の左右両側部に設けられている。肘掛収容部１４１，１４２は、台１０１の裏面において肘掛収容部１４１，１４２の外方に配置されている。
【００４８】
肘掛収容部１４１，１４２は、肘掛け１４，１５が収められる部位の前方と左右方向の内方とに肘掛け１４，１５の動きを規制する規制部を備えている。当該規制部は、上述した実施形態では、台１０１の裏面において、肘掛け１４，１５が収められる部位の前方と左右方向の内方とにおいて、下方に立ち上がった壁１４１ａ，１４１ｂ，１４２ａ，１４２ｂで構成されている。なお、かかる規制部は、肘掛け１４，１５が収められる部位の前方と左右方向の内方とに肘掛け１４，１５の動きを規制するものであればよく、必ずしも台１０１の裏面において下方に立ち上がった壁である必要はない。規制部として、例えば、肘掛け１４，１５が収められる部位の前方と左右方向の内方とに肘掛け１４，１５の動きを規制するための部位あるいは部材が設けられているとよい。規制部は、台１０１の裏面に設けられた突起でもよい。
【００４９】
肘掛保持部１１１，１１２は、肘掛収容部１４１，１４２に収められるポータブルトイレ１０の肘掛け１４，１５の後方に配置される保持部材を備えている。上述した実施形態では、保持部材は、ピン１１１ｂ，１１２ｂである。保持部材としてのピン１１１ｂ，１１２ｂは、肘掛収容部１４１，１４２に収められるポータブルトイレ１０の肘掛け１４，１５の後方に対して、肘掛収容部１４１，１４２の外方に配置された肘掛保持部１１１，１１２から突出する。
【００５０】
このトイレ用仮設台１００の台１０１は、図５に示すように、裏面の肘掛収容部１４１，１４２に、トイレ１０の肘掛け１４，１５を収めるようにしして、肘掛け１４，１５の上に置かれる。そして、肘掛収容部１４１，１４２に収められたポータブルトイレ１０の肘掛け１４，１５の後方に保持部材としてのピン１１１ｂ，１１２ｂを配置する。ピン１１１ｂ，１１２ｂは、上下方向において、台１０１との間で肘掛け１４，１５を挟むとともに、肘掛収容部１４１，１４２に設けられた規制部（この実施形態では、壁１４１ａ，１４１ｂ，１４２ａ，１４２ｂ）との協働によって、ポータブルトイレ１０の肘掛け１４，１５を肘掛収容部１４１，１４２に保持する。これにより、トイレ用仮設台１００は、肘掛け１４，１５の上に置かれた状態で保持される。かかる構造によって、図１に示すように、トイレ用仮設台１００は、トイレ１０の肘掛け１４，１５の上に置かれて、肘掛け１４，１５に取り付けられる。このため使用者および介助者にとって便利に使用されうる。
【００５１】
なお、かかる保持部材は、上述したピン１１１ｂ，１１２ｂに限定されない。例えば、台１０１の裏面において、肘掛収容部１４１，１４２に収められたポータブルトイレ１０の肘掛け１４，１５の後方に配置される部材であればよい。例えば、肘掛収容部１４１，１４２の外方に配置された肘掛保持部１１１，１１２から回動して、肘掛収容部１４１，１４２に収められるポータブルトイレ１０の肘掛け１４，１５の後方に進出する部材でもよい。この場合、移動機構１１１ｃ，１１２ｃやバネ１２５は、適宜、変更されうる。また、保持部材は、肘掛収容部１４１，１４２に収められたポータブルトイレ１０の肘掛け１４，１５の後方に配置されるように、肘掛保持部１１１，１１２に別体で取り付けられる部材でもよい。
【００５２】
図１５は、肘掛保持部１１１，１１２の変形例を示す。この実施形態では、肘掛保持部１１１，１１２は、基部１１１ａ，１１２ａと、基部１１１ａ，１１２ａに対して、回動する保持部材１１１ｂ，１１２ｂとを備えている。なお、この実施形態では、保持部材１１１ｂ，１１２ｂは、基部１１１ａ，１１２ａに設けられているが、肘掛け１４，１５に対して、保持部材１１１ｂ，１１２ｂの高さを調整する程度のものであり、保持部材１１１ｂ，１１２ｂは、台１０１の裏面に直接設けられていてもよい。
【００５３】
この実施形態では、保持部材１１１ｂ，１１２ｂは、図１５に示すように、肘掛収容部１４１，１４２に収められた肘掛け１４，１５の支柱１４ａ，１５ａの後方に配置される。また、保持部材１１１ｂ，１１２ｂは、移動機構１１１ｃ，１１２ｃを備えている。移動機構１１１ｃ，１１２ｃは、支柱１４ａ，１５ａの後方から離れた位置に保持部材１１１ｂ，１１２ｂを移動させる。この実施形態では、移動機構１１１ｃ，１１２ｃとして、基部１１１ａ，１１２ａに回動軸１３１を備えており、保持部材１１１ｂ，１１２ｂは、棒状の部材であり、一端が基部１１１ａ，１１２ａに設けられた回動軸１３１に回動自在に支持されている。
【００５４】
図１６は、移動機構１１１ｃ，１１２ｃを示す側面図である。この実施形態では、保持部材１１１ｂ，１１２ｂは、回動軸１３１に取り付けられる基端部１３２には、肘掛保持部１１１，１１２の基部１１１ａ，１１２ａと予め定められた向きで係合する係合部１３３が設けられている。この実施形態では、基部１１１ａ，１１２ａは、凹部１３４ａ，１３４ｂを有している。また、保持部材１１１ｂ，１１２ｂの基端部１３２には、かかる凹部１３４ａ，１３４ｂに嵌まる突起１３５を有する。凹部１３４ａは、図１５において実線で示されているように保持部材１１１ｂ，１１２ｂが、肘掛収容部１４１，１４２に向けて突出した位置に合わせて形成されている。凹部１３４ａは、図１５において破線で示されているように保持部材１１１ｂ，１１２ｂが、肘掛収容部１４１，１４２から退いた所定の回動位置に合わせて形成されている。回動軸１３１の先端には、バネ座１３１ａが設けられている。回動軸１３１には、基端部１３２と、バネ座１３１ａとの間にバネ１３６が圧縮された状態で装着されている。バネ１３６は、保持部材１１１ｂを基部１１１ａに向けて付勢する。図１６の実線は、バネ１３６に抗して保持部材１１１ｂを引き下げた状態が図示されている。図１６は、左側の保持部材１１１ｂの移動機構１１１ｃが図示されているが、右側の保持部材１１２ｂの移動機構１１２ｃも同様の構造である。なお、図示は省略するが、図１６に示す形態において、肘掛保持部１１１，１１２には、回動軸１３１およびバネ１３６が設けられた、肘掛保持部１１１，１１２の基端部１３２を覆うカバーが設けられていてもよい。
【００５５】
保持部材１１１ｂ，１１２ｂは、回動軸１３１に沿って上下に移動する。回動軸１３１に沿って保持部材１１１ｂ，１１２ｂを下方（回動軸１３１の先端側）に引き下げると、突起１３５と、凹部１３４ａ、１３４ｂの係合が外れる。そして、保持部材１１１ｂ，１１２ｂは、回動軸１３１周りに回転可能になる。
【００５６】
保持部材１１１ｂ，１１２ｂを引き下げ肘掛収容部１４１，１４２に突出させた所定位置に回動して手を離すと、保持部材１１１ｂ，１１２ｂはバネ１３６の作用によって、基部１１１ａ，１１２ａに向けて押し上げられる。そして、保持部材１１１ｂ，１１２ｂの突起１３５が基部１１１ａ，１１２ａの凹部１３４ａに嵌まり、図１５の実線で示されるように、保持部材１１１ｂ，１１２ｂは肘掛収容部１４１，１４２に突出した位置で保持される。また、保持部材１１１ｂ，１１２ｂを引き下げて、図１５の破線で示されるように、肘掛収容部１４１，１４２から離れた所定の位置に回動させて手を離すと、保持部材１１１ｂ，１１２ｂはバネ１３６の作用によって、基部１１１ａ，１１２ａに向けて押し上げられる。そして、保持部材１１１ｂ，１１２ｂの突起１３５が基部１１１ａ，１１２ａの凹部１３４ｂに嵌まり、保持部材１１１ｂ，１１２ｂは肘掛収容部１４１，１４２から離れた位置で保持される。このように、肘掛保持部１１１，１１２は種々変更が可能である。
【００５７】
以上、ここで提案されるトイレ用仮設台について実施形態を説明した。ここで提案されるトイレ用仮設台は、特に言及されない限りにおいて、ここで例示した実施形態に限定されず、種々変更されてもよい。
【産業上の利用可能性】
【００５８】
以上のとおり、ここで提案される発明は、トイレに取り付けられるトイレ用仮設台に利用される。
【符号の説明】
【００５９】
１０  ポータブルトイレ
１２  便座
１４，１５  肘掛け
１４ａ，１５ａ  支柱
１００  トイレ用仮設台
１０１  台
１０２  脚
１０２ａ  ブラケット
１０２ａ１  軸
１０２ｂ  軸材
１０２ｂ１  スリーブ
１０２ｂ２  接地軸
１０２ｂ３  孔
１０２ｂ４  突起
１０２ｃ  接地部
１０３  フック
１０３ａ  フック部
１０３ｂ  ガイド片
１０３ｂ１  ガイド孔
１１１，１１２  肘掛保持部
１１１ａ，１１２ａ  基部
１１１ｂ，１１２ｂ  ピン（保持部材）
１１１ｃ，１１２ｃ  移動機構
１２１  ピン本体
１２２  操作部材
１２２ａ  軸部
１２２ｂ  頭部
１２２ｃ  突起
１２２ｄ  突条
１２２ｄ１  突条１２２ｄの先端
１２２ｅ  基端
１２３  ロック部材
１２３ａ  取付部
１２３ａ１  ねじ孔
１２３ｂ，１２３ｃ  取付片
１２３ｄ、１２３ｅ  挿通孔
１２３ｆ  窪み
１２３ｇ  窪み
１２４  バネ止め
１２４ａ  バネ止め１２４の孔
１２４ａ１  溝
１２４ａ２  窪み
１２４ｂ  フランジ
１２４ｂ１  バネ座
１２５  バネ
１２７  カバー
１２７ａ  爪
１３１  回動軸
１３２  基端部
１３３  係合部
１３４ａ、１３４ｂ  凹部
１３５  突起
１３６  バネ
１４１，１４２  肘掛収容部
１４１ａ，１４１ｂ，１４２ａ，１４２ｂ  壁（規制部）
１４３，１４４  使用者Ａの太ももＡ１，Ａ２が当たる部位（もも当て部）
１４６  窪み
Ａ  使用者
Ａ１，Ａ２  太もも
【図１】
2017042239.tif 000003
【図２】
2017042239.tif 000004
【図３】
2017042239.tif 000005
【図４】
2017042239.tif 000006
【図５】
2017042239.tif 000007
【図６】
2017042239.tif 000008
【図７】
2017042239.tif 000009
【図８】
2017042239.tif 000010
【図９】
2017042239.tif 000011
【図１０】
2017042239.tif 000012
【図１１】
2017042239.tif 000013
【図１２】
2017042239.tif 000014
【図１３】
2017042239.tif 000015
【図１４】
2017042239.tif 000016
【図１５】
2017042239.tif 000017
【図１６】
2017042239.tif 000018